(57)【要約】【課題】少ない構成部材で構成され、少ない工数でより安全に効率のよい作業を実現可能な電線仮支持装置を提供する。【解決手段】電線仮支持装置１が、垂直アーム２と、電線把持部４を有する電線仮支持部３と、垂直アーム２に沿って上下に移動可能な複数の支持部材５を有して構成され、支持部材５を支持物（電柱または腕金）か垂直アーム２に固定し、さらに垂直アーム持上げ装置８の一端を垂直アーム２か垂直アーム２に固定された支持部材５に係止し、他端を支持物に固定された支持部材５に係止して、垂直アーム持上げ装置８のベルトの長さを調整して垂直アーム２と電線支持部３と電線把持部４とを上下に移動可能にしているため、支持部材５の支持物把持部で、支持物の任意の位置に電線仮支持装置１を取り付け可能となり、横方向の荷重に強く、且つ、装置の取り付け及び作業が容易とし作業効率を向上させることができる。【選択図】　図１
2004056837.tif 000002
【特許請求の範囲】
【請求項１】
垂直アームと、
前記垂直アームの上端に繋がって水平に延びるように配設され、電線把持部材を有する電線仮支持部と、
前記垂直アームに沿って上下に移動可能な複数の支持部材と、
ひも状部材と、
前記ひも状部材の長さを調節する調節手段とを備えて構成され、
前記支持部材が、前記垂直アームに固定可能な垂直アーム把持部と、支持物に固定可能な支持物把持部とを有して構成され、
前記複数の支持部材のいずれかを前記支持物把持部により前記支持物に固定し、前記複数の支持部材の別のいずれかを前記垂直アーム把持部により前記垂直アームに固定し、
前記ひも状部材の一端を前記垂直アームに固定された前記支持部材もしくは前記垂直アームに係止し、前記ひも状部材の他端を前記支持物に固定された前記支持部材に係止した状態で、前記調節手段により前記ひも状部材の長さを調節して、前記垂直アームと前記電線仮支持部と前記電線把持部材とを前記支持物に固定された支持部材に沿って上下動させるように構成し、且つ、前記垂直アームに前記支持部材をピンなどで固定し、前記固定した支持部材が前記垂直アームの上下動に連動して上下動されるように構成したことを特徴とする電線仮支持装置。
【請求項２】
垂直アームと、
前記垂直アームの上端に繋がって水平に延びるように配設され、電線把持部材を有する電線仮支持部と、
前記垂直アームに沿って上下に移動可能な一つの支持部材と、
ひも状部材と、
前記ひも状部材の長さを調節する調節手段とを備えて構成され、
前記支持部材が、前記垂直アームに固定可能な垂直アーム把持部と、支持物に固定可能な支持物把持部とを有して構成され、
前記支持部材を前記支持物把持部により前記支持物に固定し、
前記ひも状部材の一端を前記垂直アームに係止し、前記ひも状部材の他端を前記支持部材に係止した状態で、前記調節手段により前記ひも状部材の長さを調節して、前記垂直アームと前記電線仮支持部と前記電線把持部材とを前記支持部材に沿って上下動させるように構成したことを特徴とする電線仮支持装置。
【請求項３】
前記支持物把持部が、前記支持物を構成する電柱に前記支持部材を固定するための電柱把持部を有し、前記電柱に沿って上下に移動させることができるように構成されることを特徴とする請求項１または２に記載の電線仮支持装置。
【請求項４】
前記支持物把持部が、前記支持物を構成する腕金に前記支持部材を固定するための腕金把持部を有して構成されることを特徴とする請求項１〜３のいずれかに記載の電線仮支持装置。
【請求項５】
前記調節手段が、前記ひも状部材を巻き上げ繰り出しを行う巻上繰出手段であり、手動又は油圧モータによる巻上繰出手段で構成されることを特徴とする請求項１〜４のいずれかに記載の電線仮支持装置。
【発明の詳細な説明】
【０００１】
【発明の属する技術分野】
本発明は、電柱等の代わりに電線を張架状態のまま支持する電線仮支持装置に関する。
【０００２】
【従来の技術】
架空配電線の工事等においては、需要家の利便性向上のため極力停電工事を避ける工法が採用されている。このため、作業者は絶縁性のゴム手袋等をはめて直接活線に接触して作業を行う直接活線工法で作業を行っていた。しかし、この方法によると、充電部等への保護が必要となるため作業時間が長くなることや、活線に近づいて作業をするため作業者の感電事故等の可能性が高いこと、また、作業者は防護具等を身につけて作業をするため疲労が大きいというような問題があった。
【０００３】
そこで、現在の架空線工事では、絶縁された工具や装置を使い作業者が直接活線に接触しないで工事を行う間接活線工法に移行され、作業の安全性向上及び効率化がなされており、それに伴い作業方法も大幅に変更され、間接活線工法に適した工具や装置が開発され使用されている。例えば、電線を仮支持するための仮支持装置を高所作業車に取り付けて電線を仮支持するような工法が開発されている。
【０００４】
【発明が解決しようとする課題】
しかしながら、上記の方法では電線を仮支持した際の横方向の荷重に弱く対象とする工事が限定されるという問題があった。そのため、既設の電線を仮支持して電柱建替工事を行う場合には、充電線路への割り込みで実施する必要があるため、活線を仮支持して電柱を建替える必要があるが、対応する装置が無く、作業箇所を無充電にした上で工事を実施していた。しかし、コストの低減や作業停電の更なる減少のため、このような電柱建替工事においても間接活線工法が可能な工具や装置が望まれていた。
【０００５】
本発明はこのような問題に鑑みなされたものであり、少ない構成部材で構成され、少ない工数でより安全に効率の良い作業を実現可能な電線仮支持装置を提供することを目的とする。
【０００６】
【課題を解決するための手段】
前記課題を解決するために本発明に係る電線仮支持装置は、垂直アームと、この垂直アームの上端に繋がって水平に延びるように配設され、電線把持部材を有する電線仮支持部と、垂直アームに沿って上下に移動可能な複数の支持部材と、ひも状部材（例えば、実施形態におけるベルト８ｂ）と、その長さを調節する調節手段（例えば、実施形態における荷締機８ａ）とを備えて構成される。この支持部材は、垂直アームに固定可能な垂直アーム把持部と、支持物に固定可能な支持物把持部とを有して構成されており、複数の支持部材のいずれかを支持物把持部により支持物に固定し、複数の支持部材の別のいずれかを垂直アーム把持部により垂直アームに固定する。そして、ひも状部材の一端を垂直アームに固定された支持部材もしくは垂直アームに係止し、ひも状部材の他端を支持物に固定された支持部材に係止した状態で、調節手段によりひも状部材の長さを調節して垂直アームと電線仮支持部と電線把持部材とを支持物に固定された支持部材に沿って上下動させるように構成し、且つ、垂直アームに支持部材をピンなどで固定し、この固定した支持部材が垂直アームの上下動に連動して上下動されるように構成する。
【０００７】
このような構成によれば、本発明に係る電線仮支持装置を、支持部材により支持物の任意の位置に取り付けることができ、また、垂直アームに沿って支持部材を移動させて支持物あるいは垂直アームに固定しひも状部材の長さを調節することにより支持物の任意の位置に移動して電線を仮支持可能であるので、工事作業の効率化を図ることが可能である。また、複数の支持部材で電線仮支持装置を支持物に固定するため、電線を仮支持した際に生ずる横方向の荷重に対しても安定して支持することができる。さらに、電線に直接接触することなく、電線を離隔を持って電柱上方に仮支持できるため、安全に作業を行うことができる。
【０００８】
あるいは、本発明に係る電線仮支持装置は、垂直アームと、この垂直アームの上端に繋がって水平に延びるように配設され、電線把持部材を有する電線仮支持部と、垂直アームに沿って上下に移動可能な一つの支持部材と、ひも状部材と、その長さを調節する調節手段とを備えて構成される。この支持部材が、垂直アームに固定可能な垂直アーム把持部と、支持物に固定可能な支持物把持部とを有して構成されており、この支持物把持部により支持部材を支持物に固定し、ひも状部材の一端を垂直アームに係止し、ひも状部材の他端を支持部材に係止した状態で、調節手段によりひも状部材の長さを調節して垂直アームと電線仮支持部と電線把持部材とを支持部材に沿って上下動させるように構成する。
【０００９】
このような構成によれば、簡単な構成で電線を任意の位置に仮支持することができる。但し、一つの支持部材で電線仮支持装置を支持物に固定しているため、電線を仮支持したときの横方向の荷重に対して安定して支持するためには支持部材の縦方向の幅をある程度長くする必要がある。
【００１０】
また、支持物把持部が、支持物を構成する電柱に支持部材を固定するための電柱把持部を有し、この電柱に沿って上下に移動させることができるように構成されている。
【００１１】
さらに、支持物把持部が、支持物を構成する腕金に支持部材を固定するための腕金把持部を有して構成されている。
【００１２】
このような構成によれば、支持物を構成する電柱の任意の位置に本発明に係る電線仮支持装置を取り付けることが可能であり、複数の配電機器や部材が任意に組み合わされて設置されている支持物において、装置の取り付け及び作業を容易にし、電線を押し上げて仮支持する高さも任意に調節可能である。さらに、電柱に配設された腕金のような補助部材に対しても本発明に係る電線仮支持装置を取り付けることが可能であり、適用可能な工事の範囲を広げることにより工事に必要な装置を少なくすることができ、かつ、作業効率を向上させることができる。
【００１３】
なお、本発明の電線仮支持装置は、ひも状部材を巻上げ繰出しを行う巻上繰出手段が、手動又は油圧モータで構成されることが好ましい。
【００１４】
このような構成によれば、支持する電線の重量により、軽い電線の場合は、手動巻き上げで簡単な構成とすることができ、また、より重い電線に対しては油圧モータで引き上げる構成とすることができ、状況に応じて装置の構成を選択可能とすることができる。なお、ここで、ひも状部材は、長さを調節することにより支持部材に対して垂直アームと電線仮支持部と電線把持部材とを上下動させる働きをするものであるため、ベルト、ワイヤ、ロープ、チェーン等で実現可能である。
【００１５】
【発明の実施の形態】
以下、本発明の実施形態について図面を参照して説明する。まず、図１を用いて本発明の実施形態に係る電線仮支持装置の構成について説明を行う。電線仮支持装置１は、垂直アーム２と、垂直アーム２の上端に水平に延びる電線仮支持部３を有して構成され、電線仮支持部３には電線を係止保持する電線把持部材４が配設されている。なお、電線把持部材４は電線仮支持部３に着脱可能であり、電線の本数に合わせて複数で構成することも可能である。図１においては配電線の１系統を構成する電線の本数に合わせて３個の電線把持部材４ａ，４ｂ，４ｃで構成されている場合を示している。また、電線把持部材４はガイシを介して電気的に絶縁された状態で電柱仮支持部３に配設されており、さらに、前後に貫通した貫通孔４ｄを有しており、この貫通孔４ｄで電線を係止保持する（以下、垂直アーム２、電線仮支持部３及び電線把持部材４を合わせて「本体９」と呼ぶ）。
【００１６】
垂直アーム２の下端前面には上部に環状部を持つアイナット６が配設されている。さらに、垂直アーム２には、垂直アーム２に沿って上下に移動可能な支持部材５が配設されている。支持部材５は支持物及び垂直アーム２に固定可能である。なお、支持物とは、断面略円形で棒状の電柱及びこの電柱に配設され配電機器を設置するための補助部材である腕金のことを指すものである。この支持部材５は垂直アーム２に対して着脱可能であり、工事の状況に合わせて複数構成とすることも可能である。図１では上部支持部材５ａ、中間支持部材５ｂ及び下部支持部材５ｃの３個で構成した場合を示している。
【００１７】
この支持部材５の構成について図２（ａ）及び（ｂ）を用いて説明する。なお、以降の説明では図２（ａ）において、矢印Ｆの方向を前方、矢印Ｒの方向を後方と呼ぶ。支持部材５は断面略矩形状の筒状になっており、前側の部分が上下に貫通した垂直アーム把持部３０を構成しており、この垂直アーム把持部３０に垂直アーム２を通して、垂直アーム２に沿って支持部材５が上下に移動可能である。垂直アーム把持部３０の左右両側面には貫通孔３１が形成されており、係止ピン等（図示せず）を通して垂直アーム２に対して支持部材５を固定する。また、支持部材５の前面及び左右両側面前方には外側に延びて側面視において略矩形で環状の係止部３２，３２，３２が形成されており、この部分に、後述する垂直アーム持上げ装置８のフックを係止する。
【００１８】
支持部材５の後部は支持物把持部３３を構成しており、左右両側面には、後方やや外側に延びてＵ字型の電柱用係止部３４，３４が形成されている。図２（ｂ）に示すように支持部材５の後端部にある電柱把持部３５，３５を電柱１０に当接し、電柱用係止部３４，３４に電柱固定装置３８の両端を係止して締めることで、電柱１０に対して支持部材５を固定することができる。
【００１９】
さらに、支持部材５の後部の支持物把持部３３には、後方に開口して、断面略矩形上の角筒状の腕金把持部３６が形成されており、腕金把持部３６の上下側面略中央部に貫通孔３７が形成されている。この腕金把持部３６の後方の開口部から電柱に設置された腕金の端を挿入し、貫通孔３７に係止ピン等（図示せず）を通して腕金に対して支持部材５を固定することができる。
【００２０】
垂直アーム持上げ装置８はハンドルを持つ荷締機８ａの一端にベルト８ｂがあり、他端にフック８ｃがあり、ベルト８ｂの先にフック８ｄを有して構成されている。荷締機８ａのハンドルを上下に揺動してベルト８ｂを巻上げ繰出しすることにより、ベルト８ｂの長さを調節することが可能である。この垂直アーム持上げ装置８のフック８ｃ，８ｄを、支持部材５の係止部３２又はアイナット６の環状部のいずれかに係止し、荷締機８ａによりベルト８ｂを巻上げまたは繰り出して長さを調節することで、支持物に固定した支持部材５に対して本体９の位置を上下に調節可能である。電柱または腕金に対して本体９を上下に移動する方法については、後述する実施例の中で説明する。なお、電線仮支持装置１は、活線に対する装置のため、以上の構成部材は電気的に絶縁性を有することが望ましい。
【００２１】
【実施例１】
次に本発明に係る電線仮支持装置１の使用方法について説明をする。図３〜１５は第１の実施例について示している。第１の実施例では、丈尺が異なる電柱建替工事又は支持点高さが変更になる装柱工事に本発明に係る電線仮支持装置１を使用する場合について示しており、支持部材５を３個使用する実施例である。また、電線は３本張られているため、電線把持部材４は３個使用する。本実施例では、電線が張られた第１の電柱１０の側方に丈尺の高い第２の電柱１５を建て、第２の電柱１５の上方に電線を仮支持した後、第２の電柱１５に腕金を配設して電線を架けて丈尺の違う電柱に建替える場合である。
【００２２】
まず、第１の電柱１０に張られた電線の下方に電線仮支持部３が位置するように電線仮支持装置１を第２の電柱１５に沿わせ、上部支持部材５ａを垂直アーム２に固定し、中間支持部材５ｂと下部支持部材５ｃを電柱に固定する。このように、中間支持部材５ｂと下部支持部材５ｃが第２の電柱１５に固定されているため、本体９に係る横方向の荷重に対して安定支持することができる。ここではアイナット６と下部支持部材５ｃの距離だけ本体９が上部に引き上げられる。このとき上部支持部材５ａと中間支持部材５ｂは、垂直アーム２の上部に互いに当接させるように配置し、下部支持部材５ｃは垂直アーム２の略中間点に配置する。そして、中間支持部材５ｂとアイナット６に垂直アーム持上げ装置８を係止する（図３）。
【００２３】
垂直アーム持上げ装置８を巻上げると、中間支持部材５ｂが第２の電柱１５に固定され、アイナット６が垂直アーム２に固定されているため、垂直アーム２が引き上げられ、それとともに上部支持部材５ａが垂直アーム２に固定されているため垂直アーム２とともに引き上げられる。電線仮支持部３に備えられた電線把持部材４の貫通孔４ｄに電線が係止保持された位置で垂直アーム持上げ装置８の巻上げを停止し、上部支持部材５ａを第２の電柱１５に固定し、さらに、下部支持部材５ｃを垂直アーム２へ固定することで、本体９を固定する（図４）。
【００２４】
次に、下部支持部材５ｃの第２の電柱１５への固定を解除し、中間支持部材５ｂに当接するまで上方へ移動させ第２の電柱１５に固定した後、次に中間支持部材５ｂの第２の電柱１５と垂直アーム２への固定を解除して垂直アーム２に沿って上部支持部材５ａに当接するまで上方に移動させ、中間支持部材５ｂを第２の電柱１５に固定する。そして、垂直アーム持上げ装置８を中間支持部材５ｂとアイナット６に係止する。この状態で、上部支持部材５ａの第２の電柱１５への固定を解除する。このときも、中間支持部材５ｂと下部支持部材５ｃが第２の電柱１５に固定されているため、電線を仮支持した際に本体９に係る横方向の荷重に対して安定支持することができる（図５）。
【００２５】
垂直アーム持上げ装置８を巻上げると、アイナット６が引き上げられ、よって、本体９が引き上げられるため、垂直アーム２に固定された上部支持部材５ａが引き上げられる。しかし、この状態では第１の電柱１０の上方へは離隔を保って保持されているが、第２の電柱１５は第１の電柱１０より丈尺が高いので、第２の電柱１５に対しては電線の十分な離隔が確保されていない（図６）。
【００２６】
そこで、まず、上部支持部材５ａを第２の電柱１５に固定し、下部支持部材５ｃの第２の電柱１５への固定を解除し中間支持部材５ｂに当接するまで上方へ移動させ第２の電柱１５に固定した後、次に中間支持部材５ｂの第２の電柱１５への固定を解除して上部支持部材５ａに当接するまで上方に移動させ、中間支持部材５ｂを第２の電柱１５に固定する。そして、垂直アーム持上げ装置８を中間支持部材５ｂとアイナット６に係止した後、上部支持部材５ａの電柱への固定を解除する。このときも中間支持部材５ｂと下部支持部材５ｃが電柱に固定されているため、本体９にかかる横方向の荷重に対して安定支持可能である（図７）。垂直アーム持上げ装置８の巻き上げを行うと、アイナット６が引き上げられるのに伴い、本体９が上方へ移動し、結果、電線を係止保持した電線仮支持部３が第２の電柱１５の上方へ移動し、十分な離隔を保って保持される。この状態で上部支持部材５ａを第２の電柱１５に固定し、下部支持部材５ｃを垂直アーム２に固定して本体９を第２の電柱１５に固定した後、第１の電柱１０の撤去と第２の電柱１５への腕金１６の設置を行う（図８）。
【００２７】
次に、以上の手順で引き上げた電線を、引き下げて第２の電柱１５に取り付ける作業について図９〜１４を用いて説明する。まず第２のアイナット１３を垂直アーム２の上部側面で、上部支持部材５ａと垂直アーム２の先端部との略中央部に取り付ける（垂直アームの下端前面に配設されているアイナット６を「第１のアイナット６」と呼ぶ）。そして、第２の垂直アーム持上げ装置１４を第２のアイナット１３と中間支持部材５ｂの係止部に係止する（既に係止されている垂直アーム持上げ装置８を「第１の垂直アーム持上げ装置８」と呼ぶ）。さらに、第１のアイナット６に係止されている第１の垂直アーム持上げ装置８を外し、下部支持部材５ｃに係止する。その後、第１の垂直アーム持上げ装置８と第２の垂直アーム持上げ装置１４がたるまないように巻き上げる。その後、上部支持部材５ａの垂直アーム２への固定を解除し、次に下部支持部材５ｃと第２の電柱１５との固定を解除する。このときも、上部支持部材５ａ及び中間支持部材５ｂが第２の電柱１５に固定されているため、電線を仮支持した際に本体９にかかる横方向の荷重を安定支持することができる（図９）。
【００２８】
ここで、第２の垂直アーム持上げ装置１４は巻上げることで第２のアイナット１３を引き下げ、そのため本体９を引き下げる働きをし、第１の垂直アーム持上げ装置８は上部支持部材５ａに対して下部支持部材５ｃが過度に引き下げられないように制限する働きをし、その結果、下部支持部材５ｃが垂直アーム２に固定されているため、本体９が過度に引き下げられないように制限される。よって、本体９を引き下げる場合は、第２の垂直アーム持上げ装置１４の巻き上げと、第１の垂直アーム持上げ装置８の繰り出しを同時に行うか、第２の垂直アーム持上げ装置１４のベルトを常にたるみを付けた状態で第１の垂直アーム持上げ装置８の繰り出しを行う。このようにして、本体９を引き下げるが、垂直アーム２の上部に第２のアイナット１３を固定したため、垂直アーム２は第２のアイナット１３と上部支持部材５ａが当接する位置より下に引き下げることができず、第２の電柱１５において電線が固定される正規の位置まで電線は引き下げられていない（図１０）。
【００２９】
そこで、この状態で、下部支持部材５ｃを第２の電柱１５に固定し、本体９を第２の電柱１５に固定する。そして、第１の垂直アーム持上げ装置８及び、第２の垂直アーム持上げ装置１４をゆるめ、その後上部支持部材５ａと第２の電柱１５との固定を解除し、中間支持部材５ｂに当接するまで引き下げた後第２の電柱１５と固定する（図１１）。次に、中間支持部材５ｂと第２の電柱１５との固定を解除し下部支持部材５ｃに当接するまで引き下げた後、第２の電柱１５と固定をする。そして、ゆるめていた第１の垂直アーム持上げ装置８及び、第２の垂直アーム持上げ装置１４をたるまないようにして締める。そして下部支持部材５ｃの第２の電柱１５との固定を解除する。このときも、中間支持部材５ｂ及び下部支持部材５ｃが第２の電柱１５に固定されているため、電線を仮支持した際に本体９にかかる横方向の荷重を安定支持することができる（図１２）。
【００３０】
この時、第２の垂直アーム持上げ装置１４は巻上げることで第２のアイナット１３を引き下げ、そのため本体９を引き下げる働きをし、第１の垂直アーム持上げ装置８は上部支持部材５ａに対して下部支持部材５ｃが過度に引き下げられないように制限する働きをし、その結果、下部支持部材５ｃが垂直アーム２に固定されているため、本体９が過度に引き下げられないように制限される。よって、本体９を引き下げる場合は、第２の垂直アーム持上げ装置１４の巻き上げと、第１の垂直アーム持上げ装置８の繰り出しを同時に行うか、第２の垂直アーム持上げ装置１４のベルトを常にたるみを付けた状態で第１の垂直アーム持上げ装置８の繰り出しを行う。このようにして電線が第２の電柱１５の腕金１６の位置まで来たら巻き上げを停止し、電線を第２の電柱１５に固定する作業を行う（図１３）。
【００３１】
第２の電柱１５に電線を固定した後、引き下げの手順を繰り返し行い、本体９が取り外し位置まで下方に移動した時点で巻き上げを停止し（図１４）、第２の電柱１５から電線仮支持装置１を取り外して作業を終了する。
【００３２】
以上のように、支持部材５の固定箇所を第２の電柱１５または垂直アーム２にして本体９を引き上げまたは引き下げし、さらに垂直アーム２に沿って支持部材５の位置を変えることにより、本体９を任意の距離だけ移動させることが可能となる。また、上述のように３個の支持部材５のうちの少なくとも２個を電柱に常時固定することにより、本体９に対して横方向へかかる荷重を安定支持することが可能となる。
【００３３】
【実施例２】
次に第２の実施例として、２個の支持部材５（上部支持部材５ａと下部支持部材５ｃ）を使用して電線を押し上げる工事について図１５を用いて説明する（以下の実施例では電柱、アイナット及び垂直アーム持上げ装置を各々一つしか使用しないため、単に「電柱１０」、「アイナット６」、「垂直アーム持上げ装置８」と呼ぶ）。第２の実施例では丈尺が同一の電柱建替工事や支持点高さの変更が無い装柱工事の例を示すものである。まず、電柱１０に張られた電線の下方に電線仮支持部３が位置するように電線仮支持装置１を電柱１０に沿わせ、上部支持部材５ａ及び下部支持部材５ｃを電柱に固定し、垂直アーム持上げ装置８を上部支持部材５ａの係止部とアイナット６に係止する。この状態で垂直アーム持上げ装置８を巻上げまたは繰出しすることにより、上部支持部材５ａ及び下部支持部材５ｃに沿って本体９を上下することができるため、電線を電柱１０の上方に仮支持することが可能である。本実施例では２個の支持部材５を使用しているため本体９に対して横方向にかかる荷重に対しても安定支持することが可能である。
【００３４】
なお、本実施例では２個の支持部材５を使用したが、１個の支持部材５でも同様の工事を行うことは可能である。但し、１個の支持部材５で電線を仮支持するためには、本体９にかかる横方向の荷重に対するため、支持部材５の縦方向の幅をある程度長くする必要がある。
【００３５】
【実施例３】
第３の実施例として高圧変成器の工事を行う例を図１６に示し、支持部材５が１個で構成される場合を説明する。なお、電線仮支持部３に対して電線把持部材４は着脱可能でありその取り付け位置を移動可能に構成することにより工事対象の電線の位置や間隔により電線把持部材４の位置が調節可能となり、作業効率を向上させることができる。また、以上の実施例では支持部材５は垂直に延びた電柱に固定していたが、腕金把持部３６を用いることにより、図１６に示すように電柱に取り付けられた腕金に対して本体９を垂直に固定するように構成することも可能である。
【００３６】
高圧変成器１７は電柱１０に配設されている。この高圧変成器１７へは引込用開閉器１８を介して引込線１９が接続されており、さらに高圧変成器１７から取引用計器２０に接続され、さらに需要家に繋がり電力が供給されている。この高圧変成器１７が接続されている配電系統に関する停電工事を行う場合、別電源から電力を供給して需要家の停電を避けることが可能であり、本実施例ではそのようなときに本発明に係る電線仮支持装置１を使用する場合を示すものである。なお、電線仮支持装置１は上述のように電柱１０に配設された腕金１６に対して支持部材５の腕金把持部３６により固定されており、垂直アーム持上げ装置８は支持部材５の係止部とアイナット６に係止されている。
【００３７】
まず、個別の電源を用意して、開閉器２１に接続し、開閉器２１からリード線２２を引き出し、電線仮支持装置１の電線把持部材４にてリード線２２を保持する。リード線２２の先端はフック状の係止部２３が形成されており、この係止部２３を開閉器から高圧変成器１７に繋がる引込線１９に係止する。なお、係止部２３は導電性を有しており、リード線２２とは電気的に接続されるため、係止部２３及び引込線１９の係止部２３が接続されている部分は充電状態にある。このような状態でリード線２２を引込線１９に係止して、垂直アーム持上げ装置８により垂直アーム２及び電線支持部３の高さを調節すると、リード線２２の自重により引込線１９は電線仮支持装置１の方に引きつけられる。リード線２２は電線把持部材４により適切な間隔を維持されているため、引込線１９もそれに合わせて適切な間隔を保つことが可能であり、そのため充電部であるリード線２３の係止部を固定し、且つ、適切な間隔に保つことが可能となる。このような方法によると、引込用開閉器１８を開放し、別電源より電源を供給することにより、高圧変成器１７に繋がる需要家を停電させることなく工事を行うことができる。
【００３８】
なお、本実施例では一つの支持部材５で本体９にかかる横方向の荷重を支えているため、支持部材５の縦方向の幅はある程度長くする必要がある。また、本実施例では支持部材５を１個使用した場合を説明したが、２本あるいはそれ以上の腕金に対して２個あるいはそれ以上の支持部材５を使用し、上述の方法で電線仮支持装置１を支えることも可能である。
【００３９】
なお、本発明は上記実施形態に限定するものではない。以上の実施例１〜３では垂直アーム持上げ装置８におけるベルトの巻上げ、繰り出しに荷締機のハンドルを上下に揺動する手動の方式で説明を行ったが、油圧モータによる巻上げ、繰り出しで実現することも可能である。このような構成によると、重量の重い電線等に対しても引き上げ、引き下げ作業が可能となる。
【００４０】
また、上記の実施例ではベルト式の垂直アーム持上げ装置を用いたが、ロープ、ワイヤやチェーン等を用いたものであれば同様の効果を得ることができる。
【００４１】
【発明の効果】
本発明に係る電線仮支持装置は、垂直アームと垂直アームに繋がって設けられた電線把持部を有する電線仮支持部と、垂直アームに沿って上下に移動可能な複数の支持部材とを有して構成され、支持部材のいずれかを支持物把持部にて支持物（電柱または腕金）に固定し、支持部材の別のいずれか垂直アーム把持部にて垂直アームに固定し、垂直アーム持上げ装置の一端を垂直アームか垂直アームに固定された支持部材に係止し、垂直アーム持上げ装置の他端を電柱に固定された支持部材に係止して、垂直アームと電線仮支持部部と電線把持部材とを上下動可能にしているため、支持部材の支持物把持部で、支持物の任意の位置に電線仮支持装置を取り付け可能となり、装置の取り付け及び作業を容易にすることができる。また、少なくとも２つの支持部材を支持物に固定することにより、電線仮支持装置にかかる横方向の荷重に対して安定して支持することが可能である。なお、本発明に係る仮支持装置を用いることができる工事は丈尺が同一かまたは支持点高さの変更が無い装柱工事だけでなく、丈尺が異なる電柱建替え工事や支持点高さが変更になる装柱工事にも適用可能である。
【００４２】
あるいは、本発明に係る電線仮支持装置を一つの支持部材で構成することができ、簡単な構成で電線を任意の位置に仮支持可能であるが、この場合は、横方向の荷重に対するために支持部材の縦方向の長さをある程度長くすることで対応することができる。
【００４３】
さらに、支持物把持部には支持物に係止するための電柱把持部と腕金に係止するための腕金把持部のいずれか一方または両方を有するように構成することにより、本発明に係る電線仮支持装置を支持物の任意の箇所に取り付けることが可能であり、適用可能な工事の範囲を広げることにより、工事に必要な装置を少なくすることができ、且つ、作業効率を向上させることができる。
【００４４】
また、電線仮支持部により配電線の１回線分の電線を一括して仮支持することも可能であり、少ない構成部材で構成可能であるとともに、一回の作業で電線の仮支持が可能なため、作業効率を向上させることができ、さらに、電線に直接接触することなく、電線を離隔を保って電柱上方に仮支持できるため、安全に作業を行うことができる。
【００４５】
さらに、ベルトを巻上げ繰出しする方法とし、手動又は油圧モータで構成することができるようにすることにより、支持する電線の重量に合わせて、軽い電線の場合は手動で簡単な構成とすることができ、また、重い電線に対しては油圧モータで構成とすることができるため、状況に応じて装置の構成を選択可能とすることができる。
【図面の簡単な説明】
【図１】本発明に係る電線仮支持装置の構成を示す図である。
【図２】本発明に係る電線仮支持装置における支持部材を示し、同図（ａ）は上方から見た平面図であり、同図（ｂ）は電柱に固定した状態を側方から見た側面図である。
【図３】本発明の第１の実施形態における第１の状態を示す図である。
【図４】本発明の第１の実施形態における第２の状態を示す図である。
【図５】本発明の第１の実施形態における第３の状態を示す図である。
【図６】本発明の第１の実施形態における第４の状態を示す図である。
【図７】本発明の第１の実施形態における第５の状態を示す図である。
【図８】本発明の第１の実施形態における第６の状態を示す図である。
【図９】本発明の第１の実施形態における第７の状態を示す図である。
【図１０】本発明の第１の実施形態における第８の状態を示す図である。
【図１１】本発明の第１の実施形態における第９の状態を示す図である。
【図１２】本発明の第１の実施形態における第１０の状態を示す図である。
【図１３】本発明の第１の実施形態における第１１の状態を示す図である。
【図１４】本発明の第１の実施形態における第１２の状態を示す図である。
【図１５】本発明の第２の実施形態における電柱仮支持装置の取り付け状態を示す図である。
【図１６】本発明の第３の実施形態における電柱仮支持装置の取り付け状態を示す図である。
【符号の説明】
１　電線仮支持装置
２　垂直アーム
３　電線仮支持部
４　電線把持部材
５　支持部材
８　垂直アーム持上げ装置
８ａ　荷締機（調節手段）
８ｂ　ベルト（ひも状部材）
１０　電柱
１６　腕金
３０　垂直アーム把持部
３２　支持物把持部
３５　電柱把持部
３６　腕金把持部
【図１】
2004056837.tif 000003
【図２】
2004056837.tif 000004
【図３】
2004056837.tif 000005
【図４】
2004056837.tif 000006
【図５】
2004056837.tif 000007
【図６】
2004056837.tif 000008
【図７】
2004056837.tif 000009
【図８】
2004056837.tif 000010
【図９】
2004056837.tif 000011
【図１０】
2004056837.tif 000012
【図１１】
2004056837.tif 000013
【図１２】
2004056837.tif 000014
【図１３】
2004056837.tif 000015
【図１４】
2004056837.tif 000016
【図１５】
2004056837.tif 000017
【図１６】
2004056837.tif 000018